(57)【要約】  映像入力信号を切り替えたときに、高速に切り替わって表示することができる画像表示装置を提供する。本発明の画像表示装置は、複数系統の映像を入力し、いずれかの映像を選択して表示する画像表示装置であって、映像を表示する表示手段と、複数系統毎に映像信号を入力する複数の映像入力手段と、複数の映像入力手段のそれぞれにより入力した複数系統の映像毎に１フレーム分の映像データを一時記憶するフレームバッファと、複数系統の映像のうち、表示手段に表示すべき映像を選択指示する選択指示手段と、信号選択指示手段によって選択指示された映像の映像データをフレームバッファから読み出し、表示手段に表示可能なデータに変換して表示手段に出力することにより、選択された映像を表示手段に表示する映像選択手段とを備えた。
2012107996.tif 000002
【特許請求の範囲】
【請求項１】
複数系統の映像を入力し、いずれかの映像を選択して表示する画像表示装置であって、
前記映像を表示する表示手段と、
前記複数系統毎に映像信号を入力する複数の映像入力手段と、
前記複数の映像入力手段のそれぞれにより入力した前記複数系統の映像毎に１フレーム分の映像データを一時記憶するフレームバッファと、
前記複数系統の映像のうち、前記表示手段に表示すべき映像を選択指示する選択指示手段と、
前記信号選択指示手段によって選択指示された前記映像の映像データを前記フレームバッファから読み出し、前記表示手段に表示可能なデータに変換して前記表示手段に出力することにより、前記選択された映像を前記表示手段に表示する映像選択手段と
を備えたことを特徴とする画像表示装置。
【請求項２】
前記映像入力手段は、ＲＧＢ信号とコンポジットビデオ信号の２系統の映像信号を入力することを特徴とする請求項１に記載の画像表示装置。
【発明の詳細な説明】
【技術分野】
【０００１】
本発明は、複数の映像信号入力が可能な画像表示装置に関する。
【背景技術】
【０００２】
従来から、異なる複数の映像信号が入力可能で、所望の映像信号を選択し、選択された映像信号に基づき映像表示を行う画像表示装置が知られている（例えば、特許文献１、２参照）。図３は、従来技術による画像表示装置の構成を示すブロック図である。図３において、符号２１は、１フレームの映像データを一時記憶するフレームバッファメモリである。符号２２は、フレームバッファメモリ２１の読み出し番地を指示する読み出し番地指示部である。符号２３は、第１の映像信号（例えばＲＧＢ信号であり、「Ａ」の文字の映像を含む）を入力する映像信号入力部である。符号２４は、第２の映像信号（例えばコンポジットビデオ信号であり、「Ｂ」の文字の映像を含む）を入力する映像信号入力部である。【０００３】
符号２５は、フレームバッファメモリ２１からの読み出しデータ列を表示可能な形式のデータに変換するデータ変換部である。符号２６は、データ変換部２５から出力される表示可能な形式のデータに基づき映像の表示を行う表示部であり、例えば、液晶のディスプレイ装置である。符号２７は、フレームバッファメモリ２１上の映像イメージのデータである。符号２８は、映像イメージ２７のデータ読み出し開始番地である。符号２９は、第１の映像信号と第２の映像信号の表示を選択して切り替える指示を行う信号選択指示部である。符号３０は、映像信号入力部２３、または映像信号入力部２４から出力される映像信号を信号選択指示部２９の指示に基づき選択して、映像信号の切り替えを行う切替部である。【０００４】
次に、図３を参照して、図３に示す画像表示装置が映像を表示部２６に表示する動作を説明する。初期状態において、切替部３０は、信号選択指示部２９からの指示により、映像入力２３の映像信号を選択するようになっているものとする。まず、フレームバッファメモリ２１は、切替部３０から出力される映像信号を入力し、内部のメモリに記憶する。一方、読み出し番地指示部２２は、読み出し開始番地２８から順にフレームバッファメモリ２１に記憶されている映像データを読み出すための読み出し番地を指示することにより、フレームバッファメモリ２１に記憶されている映像データが順に読み出されてデータ変換部に出力される。データ変換部２５は、フレームバッファメモリ２１から読み出された映像データを表示部２６に表示可能な形式のデータに変換して表示部２６へ出力する。これにより、表示部２６には、映像入力部２３から入力した映像信号（「Ａ」の文字の映像含む信号）に基づき映像の表示が行われることになる。【０００５】
次に、信号選択指示部２９から映像入力部２４の映像信号を選択する指示が出力されると、切替部３０は、入力する映像信号を映像信号入力２３から映像信号入力部２４へ切り替える。そして、フレームバッファメモリ２１は、切替部３０から出力される映像信号を入力し、内部のメモリに記憶する。一方、読み出し番地指示部２２は、読み出し開始番地２８から順にフレームバッファメモリ２１に記憶されている映像データを読み出すための読み出し番地を指示することにより、フレームバッファメモリ２１に記憶されている映像データが順に読み出されてデータ変換部に出力される。データ変換部２５は、フレームバッファメモリ２１から読み出された映像データを表示部２６に表示可能な形式のデータに変換して表示部２６へ出力する。これにより、表示部２６には、映像入力部２４から入力した映像信号（「Ｂ」の文字の映像含む信号）に基づき映像の表示が行われることになる。【０００６】
このように、２系統の映像信号を入力可能とし、信号選択指示部２９によって表示するべき映像信号を選択することにより、２系統の映像信号のうち、いずれか一方の映像信号に基づく映像を表示部２６に表示することが可能となり、１台の画像表示装置で、複数の映像信号の中から所望の映像信号を選択して表示することが可能となる。
【先行技術文献】
【特許文献】
【０００７】
【特許文献１】特開２００１−２３８１５０号公報
【特許文献２】特開２００３−２７４３１６号公報
【発明の概要】
【発明が解決しようとする課題】
【０００８】
しかしながら、図３に示す従来技術による画像表示装置にあっては、一方の映像データの表示状態から他方の映像データの表示状態への切り替える際に、切替部３０により入力する映像信号を選択して切り替えてフレームバッファメモリへ書き込む構成であるため、フレームバッファメモリ内の映像データが書き替えられるまで映像データを表示することができず、切り替え処理に時間を要し、ユーザにストレスを与えてしまうという問題がある。【０００９】
本発明は、このような事情に鑑みてなされたもので、映像入力信号を切り替えたときに、高速に切り替わって表示することができる画像表示装置を提供することを目的とする。
【課題を解決するための手段】
【００１０】
本発明は、複数系統の映像を入力し、いずれかの映像を選択して表示する画像表示装置であって、前記映像を表示する表示手段と、前記複数系統毎に映像信号を入力する複数の映像入力手段と、前記複数の映像入力手段のそれぞれにより入力した前記複数系統の映像毎に１フレーム分の映像データを一時記憶するフレームバッファと、前記複数系統の映像のうち、前記表示手段に表示すべき映像を選択指示する選択指示手段と、前記信号選択指示手段によって選択指示された前記映像の映像データを前記フレームバッファから読み出し、前記表示手段に表示可能なデータに変換して前記表示手段に出力することにより、前記選択された映像を前記表示手段に表示する映像選択手段とを備えたことを特徴とする。【００１１】
本発明は、前記映像入力手段は、ＲＧＢ信号とコンポジットビデオ信号の２系統の映像信号を入力することを特徴とする。
【発明の効果】
【００１２】
本発明によれば、複数系統の映像を入力し、いずれか一方を選択して表示する表示機能を備える画像表示装置において、事前に複数系統の映像信号を入力して複数の映像を並列にフレームバッファ内に描画し、フレームバッファからの読み出し範囲を選択して切り替えることにより、一方の映像表示の状態から他方の映像表示の状態へ高速に切り替えることが可能になるという効果が得られる。
【図面の簡単な説明】
【００１３】
【図１】本発明の一実施形態の構成を示すブロック図である。
【図２】図１に示す表示装置の動作を示すフローチャートである。
【図３】従来技術による表示装置の構成を示すブロック図である。
【発明を実施するための形態】
【００１４】
以下、図面を参照して、本発明の一実施形態による画像表示装置を説明する。図１は同実施形態の構成を示すブロック図である。この図において、符号１は、２フレームの映像データを一時記憶するフレームバッファメモリである。符号２は、フレームバッファメモリ１の読み出し番地を指示する読み出し番地指示部である。符号３は、第１の映像信号（例えば、「Ａ」の文字の映像を含む）を入力する映像信号入力部である。符号４は、第２の映像信号（例えば、「Ｂ」の文字の映像を含む）を入力する映像信号入力部である。第１の映像信号は、例えば、ＲＧＢ信号であり、第２の映像信号は、例えば、コンポジットビデオ信号である。
【００１５】
符号５は、フレームバッファメモリ１からの読み出しデータ列を表示可能な形式のデータに変換するデータ変換部である。符号６は、データ変換部５から出力される表示可能な形式のデータに基づき映像の表示を行う表示部であり、例えば、液晶のディスプレイ装置である。符号７は、フレームバッファメモリ１上の第１の映像イメージのデータである。符号８は、フレームバッファメモリ１上の第２の映像イメージのデータである。符号９は、映像イメージ７のデータ読み出し開始番地である。符号１０は、映像イメージ８のデータ読み出し開始番地である。符号１１は、第１の映像信号と第２の映像信号の表示を選択して切り替える指示を行う信号選択指示部である。
【００１６】
次に、図２を参照して、図１に示す画像表示装置が映像を表示部６に表示する動作を説明する。まず、映像信号入力部３は、第１の映像信号（「Ａ」の文字の映像を含む）を入力し（ステップＳ１）、フレームバッファメモリ１の第１の映像データを書き込む領域に対して、第１の映像信号の映像データを書き込む（ステップＳ２）。これと並行して、映像信号入力部４は、第２の映像信号（「Ｂ」の文字の映像を含む）を入力し（ステップＳ３）、フレームバッファメモリ１の第２の映像データを書き込む領域に対して、第２の映像信号の映像データを書き込む（ステップＳ４）。
【００１７】
信号選択指示部１１から、映像入力部３または映像入力部４の映像信号のいずれかを選択する指示が出力されると、読み出し番地指示部２は、選択された映像信号が記憶されている領域の読み出し開始番地（選択された映像信号が第１の映像信号であれば第１の読み出し開始番地９、選択された映像信号が第２の映像信号であれば第２の読み出し開始番地１０）から順にフレームバッファメモリ１に記憶されている映像データを読み出すための読み出し番地を指示することにより、フレームバッファメモリ１に記憶されている映像データが順に読み出されてデータ変換部５に出力される（ステップＳ５）。
【００１８】
信号選択指示部１１から出力する指示には、選択された映像信号を特定可能な識別情報が含まれる。また、読み出し番地指示部２には、映像信号の識別情報と、この映像信号を読み出すべき読み出し開始番地とが予め関係付けられて内部に保持されている。したがって、信号選択指示部１１から出力される選択された映像を特定する映像信号の識別情報から、映像信号を読み出すべき読み出し開始番地に変換することができる。
【００１９】
これを受けて、データ変換部５は、フレームバッファメモリ１から読み出された映像データを表示部６に表示可能な形式のデータに変換して表示部６へ出力する。これにより、表示部６には、信号選択指示部１１によって選択された映像信号に基づく映像が表示されることになる。すなわち、第１の映像信号が選択された場合は、映像信号入力部３から入力した映像信号の映像が表示され（ステップＳ６）、第２の映像信号が選択された場合は、映像信号入力部４から入力した映像信号の映像が表示される（ステップＳ７）。
【００２０】
次に、信号選択指示部１１から現在選択されている一方の映像信号（例えば、第１の映像信号）から他方の映像信号（例えば、第２の映像信号）に切り替える選択を行った場合、読み出し番地指示部２は、選択された映像信号が記憶されている領域の読み出し開始番地（選択された映像信号が第２の映像信号であれば第２の読み出し開始番地１０）から順にフレームバッファメモリ１に記憶されている映像データを読み出すための読み出し番地を指示することにより、フレームバッファメモリ１に記憶されている映像データが順に読み出されてデータ変換部５に出力されて、切り替えられた方の映像信号に基づく映像表示が行われることになる。
【００２１】
さらに、再度信号選択指示部１１から現在選択されている一方の映像信号（例えば、第２の映像信号）から他方の映像信号（例えば、第２の映像信号）に切り替える選択を行った場合、読み出し番地指示部２は、選択された映像信号が記憶されている領域の読み出し開始番地（選択された映像信号が第１の映像信号であれば第１の読み出し開始番地９）から順にフレームバッファメモリ１に記憶されている映像データを読み出すための読み出し番地を指示することにより、フレームバッファメモリ１に記憶されている映像データが順に読み出されてデータ変換部５に出力されて、切り替えられた方の映像信号に基づく映像表示が行われることになる。
【００２２】
なお、前述した説明において、２系統の映像信号を入力して、いずれか一方を選択して表示する映像を切り替える例を説明したが、入力する映像信号の３系統以上であってもよい。この場合、入力する映像信号の数に応じて、フレームバッファメモリの数を増やし、信号選択指示部１１によって選択された表示すべき映像信号に基づき、読み出し番地指示部２によって、読み出し開始の番地を指定し、指定された読み出し開始番地から映像データを読み出して、データ変換部５へ出力すればよい。また、複数系統の映像信号は、全て同じ形式の映像信号であってもよいし、それぞれ異なる形式の映像信号であってもよい。
【００２３】
以上説明したように、複数系統の映像を入力し、いずれか一方を選択して表示する表示機能を備える画像表示装置において、事前に複数系統の映像信号を入力して複数の映像を並列にフレームバッファ内に描画し、フレームバッファからの読み出し範囲を選択して切り替えることにより、一方の映像表示の状態から他方の映像表示の状態へ高速に切り替えることが可能となる。
【００２４】
なお、図１に示すフレームバッファメモリ１に対する読み書き機能及び読み出し番地の指示機能を実現するためのプログラムをコンピュータ読み取り可能な記録媒体に記録して、この記録媒体に記録されたプログラムをコンピュータシステムに読み込ませ、実行することにより映像の表示の切り替え処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００２６】
複数系統の映像を入力し、いずれか一方を選択して表示することが不可欠な用途に適用できる。
【符号の説明】
【００２７】
１・・・フレームバッファメモリ、２・・・読み出し番地指示部、３、４・・・映像信号入力部、５・・・データ変換部、６・・・表示部、１１・・・信号選択指示部
【図１】
2012107996.tif 000003
【図２】
2012107996.tif 000004
【図３】
2012107996.tif 000005
【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
複数系統の映像を入力し、いずれかの映像を選択して表示する画像表示装置であって、  前記映像を表示する表示手段と、
映像データを一時記憶するフレームバッファと、
前記複数系統の映像信号をそれぞれ入力し、前記複数系統の１フレーム分の映像データそれぞれを前記フレームバッファの異なる記憶領域に対して並行して書きこむ映像入力手段と、
前記複数系統の映像のうち、前記表示手段に表示すべき映像を選択指示する選択指示手段と、
前記信号選択指示手段によって選択指示された前記映像の映像データを、前記フレームバッファの選択指示された前記映像データが書きこまれている記憶領域から読み出し、前記表示手段に表示可能なデータに変換して前記表示手段に出力することにより、前記選択された映像を前記表示手段に表示する映像選択手段と
を備えたことを特徴とする画像表示装置。
【請求項２】
映像信号の識別情報と、該映像信号を読み出す際の前記フレームバッファの読み出し開始番地とが関係付けられた映像信号識別情報記憶手段をさらに備え、
前記選択指示手段は、選択された映像信号を特定可能な識別情報を前記映像選択手段に対して出力し、
前記映像選択手段は、前記映像信号識別情報記憶手段を参照して、前記選択指示手段から出力された前記識別情報に関係付けられた前記読み出し開始番地を特定し、特定した前記読み出し開始番地から前記映像データを読み出すことを特徴とする請求項１に記載の画像表示装置。
【請求項３】
前記映像入力手段は、ＲＧＢ信号とコンポジットビデオ信号の２系統の映像信号を入力することを特徴とする請求項１または２に記載の画像表示装置。
【手続補正２】
【補正対象書類名】明細書
【補正対象項目名】００１０
【補正方法】変更
【補正の内容】
【００１０】
本発明は、複数系統の映像を入力し、いずれかの映像を選択して表示する画像表示装置であって、  前記映像を表示する表示手段と、映像データを一時記憶するフレームバッファと、前記複数系統の映像信号をそれぞれ入力し、前記複数系統の１フレーム分の映像データそれぞれを前記フレームバッファの異なる記憶領域に対して並行して書きこむ映像入力手段と、前記複数系統の映像のうち、前記表示手段に表示すべき映像を選択指示する選択指示手段と、前記信号選択指示手段によって選択指示された前記映像の映像データを、前記フレームバッファの選択指示された前記映像データが書きこまれている記憶領域から読み出し、前記表示手段に表示可能なデータに変換して前記表示手段に出力することにより、前記選択された映像を前記表示手段に表示する映像選択手段とを備えたことを特徴とする。
本発明は、映像信号の識別情報と、該映像信号を読み出す際の前記フレームバッファの読み出し開始番地とが関係付けられた映像信号識別情報記憶手段をさらに備え、前記選択指示手段は、選択された映像信号を特定可能な識別情報を前記映像選択手段に対して出力し、前記映像選択手段は、前記映像信号識別情報記憶手段を参照して、前記選択指示手段から出力された前記識別情報に関係付けられた前記読み出し開始番地を特定し、特定した前記読み出し開始番地から前記映像データを読み出すことを特徴とする。
【国際調査報告】
2012107996.tif 000006
2012107996.tif 000007
2012107996.tif 000008